【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
線源制御装置に応答するＸ線放射線源によりＸ線照射を遂行する段階と、
前記線源制御装置からタイミング信号の伝送が無くてもディジタル検出器によりＸ線画像データをサンプリングする段階と、
ユーザー観察可能な画像に再構成することのできるＸ線画像データを作成するために、少なくとも１つのイメージング・フレーム又は２つ以上のイメージング・フレームのサンプリングしたＸ線画像データを組み合わせる段階であって、それらのフレームの内の少なくとも１つは、照射が生じた持続期間に亘って延在する、当該段階と、
を有するＸ線イメージング方法。
【請求項２】
２つの相次ぐフレームの画像読取りの合間にＸ線照射が生じる画像フレームを生成する段階を有している請求項１記載の方法。
【請求項３】
少なくとも照射が生じた持続期間に亘って延在する開始及び終了フレームを決定する段階を有している請求項１または２に記載の方法。
【請求項４】
Ｘ線放射線源によりＸ線照射を遂行する段階と、
Ｘ線照射の開始時点及び終了時点についての先験的知識が無くてもディジタル検出器によりＸ線画像データをサンプリングする段階と、
Ｘ線画像データの開始及び終了フレームを決定する段階と、
ユーザー観察可能な画像に再構成することのできるＸ線画像データを作成するために、少なくとも１つのイメージング・フレーム又は２つ以上のイメージング・フレームのサンプリングしたＸ線画像データを組み合わせる段階であって、それらのフレームの内の少なくとも１つは、照射が生じた持続期間に亘って延在する、当該段階と、
を有するＸ線イメージング方法。
【請求項５】
Ｘ線照射中にＸ線画像データをサンプリングする段階を有する請求項１乃至４のいずれかに記載の方法。
【請求項６】
前記開始及び終了フレームは、照射が生じた持続期間中にサンプリングされたデータと、照射が生じた持続期間の外でサンプリングされたデータとを含んでいる、請求項１乃至５のいずれかに記載の方法。
【請求項７】
前記開始及び終了フレームは、少なくともそれぞれの開始及び終了フレームのサンプリングしたデータの比較によって決定される、請求項１乃至６のいずれかに記載の方法。
【請求項８】
前記開始及び終了フレームは、Ｘ線放射線の照射量を表すサンプリングしたデータ値の変化を識別することによって決定される、請求項７記載の方法。
【請求項９】
照射より前にデータをサンプリングすることによって前記検出器を準備する段階を有している請求項１乃至８のいずれかに記載の方法。
【請求項１０】
前記検出器を準備する段階は、照射より前に且つ照射とは独立して検出器データのサンプリングを開始する段階を有している、請求項９記載の方法。
【請求項１１】
少なくとも１つのイメージング・フレームからサンプリングされたデータに基づいてオフセット補正画像データを生成することによって、ユーザー観察可能な画像に再構成することのできるＸ線画像データを作成する段階を有している請求項１乃至１０のいずれかに記載の方法。
【請求項１２】
前記オフセット補正画像データは、開始フレームより前にサンプリングされたデータを、少なくとも１つのイメージング・フレームからサンプリングされたデータと組み合わせることによって、生成される、請求項１１記載の方法。
【請求項１３】
前記２つ以上のイメージング・フレームのサンプリングしたＸ線画像データを組み合わせる前記段階は、ノイズ・パラメータに基づいて組合せ方法を選択する段階を有している、請求項１乃至１２のいずれかに記載の方法。
【請求項１４】
前記ノイズ・パラメータは、少なくとも照射が生じた持続期間に亘って延在するイメージング・フレームの数と、照射の開始より前にサンプリングされたイメージング・フレームの数とに基づいている、請求項１３記載の方法。
【請求項１５】
Ｘ線放射線源と、
前記線源に結合されていて、イメージング用照射のためのＸ線の放出を指令するように構成されている線源制御装置と、
前記線源制御装置からの通信が無くてもＸ線画像データをサンプリングするように構成されているディジタルＸ線検出器と、
Ｘ線画像データの取得のために前記検出器へ命令を伝送し、且つ処理、画像再構成及び画像プレビューのために前記検出器からＸ線画像データを受け取るように構成されているポータブル検出器制御装置とを有し、
前記検出器、前記ポータブル検出器制御装置、並びに前記検出器及び／又は前記ポータブル検出器制御装置と通信する処理システムの内の少なくとも１つが、ユーザー観察可能な画像に再構成することのできるＸ線画像データを作成するために、少なくとも１つのイメージング・フレーム又は２つ以上のイメージング・フレームのサンプリングしたＸ線画像データを組み合わせるように構成され、それらのフレームの内の少なくとも１つは、照射が生じた持続期間に亘って延在すること、
を特徴とするＸ線イメージング・システム。
【請求項１６】
少なくとも１つのイメージング・フレームからサンプリングされたデータに基づいてオフセット補正画像データを生成することによって、ユーザー観察可能な画像に再構成することのできるＸ線画像データを作成する請求項１５記載のシステム。
【請求項１７】
前記オフセット補正画像データは、開始フレームより前のサンプリングしたデータを、少なくとも１つのイメージング・フレームからサンプリングされたデータと組み合わせることによって、生成される、請求項１６記載のシステム。
【請求項１８】
イメージング用照射のためにＸ線放射線源からのＸ線の放出を指令するように構成された線源制御装置からタイミング信号の伝送が無くてもＸ線画像データをサンプリングするように構成されている回路を有するディジタルＸ線検出器であって、前記回路はまた、ユーザー観察可能な画像に再構成することのできるＸ線画像データを作成するために、少なくとも１つのイメージング・フレームのサンプリングしたデータを組み合わせるように構成されており、それらのフレームの内の少なくとも１つは、Ｘ線照射が生じた持続期間に亘って延在すること、を特徴とするディジタルＸ線検出器。
【請求項１９】
前記回路は、ユーザー観察可能な画像に再構成することのできるＸ線画像データを作成するために、２つ以上のイメージング・フレームのサンプリングしたデータを組み合わせるように構成されており、それらのフレームの内の少なくとも１つは、照射が生じた持続期間に亘って延在している、請求項１８記載のディジタルＸ線検出器。
【請求項２０】
前記回路は、２つの相次ぐフレームの画像読取りの合間にＸ線照射が生じる画像フレームを生成するように構成されている、請求項１８または１９に記載のディジタルＸ線検出器。
【請求項２１】
前記回路は、少なくとも照射が生じた持続期間に亘って延在する開始及び終了フレームを決定するように構成されている、請求項１８乃至２０のいずれかに記載のディジタルＸ線検出器。
【請求項２２】
前記開始及び終了フレームの各々は、照射が生じた持続期間中にサンプリングされたデータと、照射が生じた持続期間の外でサンプリングされたデータとを含んでいる、請求項２１記載のディジタルＸ線検出器。
【請求項２３】
前記回路は、少なくともそれぞれの開始及び終了フレームのサンプリングしたデータを比較することによって前記開始及び終了フレームを決定するように構成されている、請求項２１記載のディジタルＸ線検出器。
【請求項２４】
前記回路は、Ｘ線放射線の照射量を表すサンプリングしたデータ値の変化を識別することによって前記開始及び終了フレームを決定するように構成されている、請求項２３記載のディジタルＸ線検出器。
【請求項２５】
前記回路は、照射より前にデータをサンプリングすることによって前記検出器を準備するように構成されている、請求項１８乃至２４のいずれかに記載のディジタルＸ線検出器。
【請求項２６】
前記回路は、照射より前に且つ照射とは独立して検出器データのサンプリングを開始するように構成されている、請求項２５記載のディジタルＸ線検出器。
【請求項２７】
前記回路は、少なくとも１つのイメージング・フレームからサンプリングされたデータに基づいてオフセット補正画像データを生成することによって、ユーザー観察可能な画像に再構成することのできるＸ線画像データを作成するように構成されている、請求項１８乃至２６のいずれかに記載のディジタルＸ線検出器。
【請求項２８】
前記オフセット補正画像データは、開始画像フレームより前のサンプリングしたデータを、少なくとも１つのイメージング・フレームからサンプリングされたデータと組み合わせることによって、生成される、請求項２７記載のディジタルＸ線検出器。
【請求項２９】
前記２つ以上のイメージング・フレームのサンプリングしたＸ線画像データを組み合わせることは、ノイズ・パラメータに基づいて組合せ方法を選択することを有している、請求項１９記載のディジタルＸ線検出器。
【請求項３０】
前記ノイズ・パラメータは、少なくとも照射が生じた持続期間に亘って延在するイメージング・フレームの数と、照射の開始より前にサンプリングされたイメージング・フレームの数とに基づいている、請求項２９記載のディジタルＸ線検出器。